(57)【要約】【課題】  発光ダイオードに代表される長寿命、省電力の光源を用いて視覚装飾性に優れ、幻想的空間を演出できると共に、照明時に室内に芳香をすばやく充満させることができる照明装置を提供する。【解決手段】  照明装置１は、透光性樹脂からドーム状に形成され加熱手段７を備えた芳香剤配置部８を有する上本体部３、及び上方から下方にかけて小径となる円筒状の外壁部４ａと、外壁部４ａの下端周縁部から外壁部４ａ内に延出して上方へ向かうにつれて小径となる円筒状の内壁部４ｂと、内壁部４ｂの上端開口部を塞ぐ円形状の底面部４ｃと、内壁部４ｂ及び底面部４ｃで囲まれた凹部４ｄの底面４ｅの中央部から下方に向けて突出した突起部４ｆとを有して透光性樹脂から一体成形された下本体部４から構成された装置本体２内に、突起部４ｆに対応して配置され、突起部４ｆに向けて指向性を有する光を出射する発光手段９を備えている。【選択図】図１
2005353552.tif 000002
【特許請求の範囲】
【請求項１】
装置本体と、該装置本体の一端側に設けられ加熱手段を備えた芳香剤配置部と、前記装置本体の他端側に設けられた凹部と、該凹部の底面部に前記装置本体の他端側へ向けて突設された突起部と、該突起部に対応して前記装置本体内に配置されて前記突起部に向けて指向性を有する光を出射する発光手段とを具備し、少なくとも前記突起部、前記底面部、及び前記突起部を囲繞している前記装置本体の周壁部は透光性を有する材料から一体成形されていることを特徴とする照明装置。
【請求項２】
前記突起部は円柱形状に形成されていることを特徴とする請求項１に記載の照明装置。
【請求項３】
前記装置本体の透光性を有する材料から一体成形された部位は、その表面が凹凸形状に形成されていることを特徴とする請求項１又は２に記載の照明装置。
【発明の詳細な説明】
【技術分野】
【０００１】
本発明は、視覚的及び嗅覚的な演出を行う照明装置に関する。
【背景技術】
【０００２】
従来から、透光性材料により形成された筐体の内部に光源を配置するとともに、筐体の上部に液状の芳香剤を入れる器を載置し、筐体を透過する光で視覚的に演出しながら、芳香剤の香りで嗅覚的な演出を同時に行う照明装置が提供されている。
【０００３】
このような照明装置としては、ガラス或いは透光性樹脂などの透光性を有する材料により略半球状に形成された筐体と、この筐体の上部に液状の芳香剤を入れるための受け皿とを一体に備え、光源として発光ダイオードを上面に備えた回路基板を前記受け皿に近接させて筐体内に配置したものが提供されている（特許文献１）。
【特許文献１】特開２００４−５５３６０号公報（第１図）
【発明の開示】
【発明が解決しようとする課題】
【０００４】
上記の照明装置では、発光ダイオードの点灯時に回路基板に実装された回路部品に発生する熱を利用して、受け皿に入れた芳香剤の気化の促進を図ることとしているが、このような発光ダイオードに代表される長寿命、省電力の光源や回路部品から発生する熱は非常に弱いため、十分な促進効果を得ることができず、室内に芳香を充満させるのに時間がかかっていた。そこで、このような照明装置において十分な促進効果を得るためには、照明装置に別途加熱装置を設ける必要があった。
【０００５】
しかし、このような加熱装置は、芳香剤を入れる受け皿の直下に配置されるので、上記の照明装置では、上面に発光ダイオードを備えた回路基板の上部に位置することになる。そのため、加熱装置によって発光ダイオードからの光が遮られて照明装置上部の透光性が損なわれることになり、これに伴って照明装置下部にも光がまわらなくなるから、視覚装飾性が悪くなって幻想的空間を演出できなくなるという問題があった。
【０００６】
本発明は上述の点に鑑みて為されたもので、その目的は、発光ダイオードに代表される長寿命、省電力の光源を用いて視覚装飾性に優れ、幻想的空間を演出できると共に、照明時に室内に芳香をすばやく充満させることができる照明装置を提供することである。
【課題を解決するための手段】
【０００７】
上述の課題を解決するために、請求項１の発明では、装置本体と、該装置本体の一端側に設けられ加熱手段を備えた芳香剤配置部と、前記装置本体の他端側に設けられた凹部と、該凹部の底面部に前記装置本体の他端側へ向けて突設された突起部と、該突起部に対応して前記装置本体内に配置されて前記突起部に向けて指向性を有する光を出射する発光手段とを具備し、少なくとも前記突起部、前記底面部、及び前記突起部を囲繞している前記装置本体の周壁部は透光性を有する材料から一体成形されていることを特徴とする照明装置とした。
【０００８】
請求項１の発明によれば、装置本体の他端側に向けて光を出射する発光手段よりも、芳香剤配置部が装置本体の一端側に設けられているので、発光手段から出射された光を遮って、視覚装飾性を低減させることがなくなる。加えて、発光手段から出射した光が透光性を有する突起部に入射することで、この突起部が光源としての役割を果たし、この突起部からの光が透光性を有して突起部を囲繞している装置本体の周壁部から外方へ出射されるから、装置本体を光らせることができる。これにより、発光ダイオードのような光量の少ない光源を発光手段に用いたとしても、視覚装飾性に優れた幻想的空間を演出することができる。さらに、芳香剤配置部に備えた加熱手段により芳香剤を加熱することで十分な促進効果を得られるから、室内に芳香をすばやく充満させることができる。
【０００９】
請求項２の発明では、請求項１に記載の構成に加えて、前記突起部は円柱形状に形成されていることを特徴とする照明装置とした。
【００１０】
請求項２の発明によれば、光源の役割を果たす突起部が円柱形状であるため、突起部から装置本体へと一様に光を出射させることができる。
【００１１】
請求項３の発明では、請求項１又は２に記載の構成に加えて、前記装置本体の透光性を有する材料から一体成形された部位は、その表面が凹凸形状に形成されていることを特徴とする照明装置とした。
【００１２】
請求項３の発明によれば、少なくとも発光手段からの光が通過する突起部、底面部、及び突起部を囲繞する装置本体の周壁部の表面に凹凸形状を形成してあるので、これら凹凸形状によって光がより拡散されることになるから、より広範囲に亘って装置本体から光が出射されることになる。これにより、照明装置の視覚装飾性を向上することができる。
【発明の効果】
【００１３】
本発明は、芳香剤配置部が、装置本体の他端側に向けて光を出射する発光手段よりも装置本体の一端側に設けられているので、発光手段から出射された光を遮って、視覚装飾性を低減させることがなく、さらに発光手段からの光を透光性を有する突起部に入射させることで、突起部を光源として装置本体を光らせているので、発光ダイオードのような光量の少ない光源を発光手段に用いたとしても、視覚装飾性に優れた幻想的空間を演出することができ、加えて芳香剤配置部に備えた加熱手段によって芳香剤の気化を促進させるから、室内に芳香をすばやく充満させることができるという効果がある。
【発明を実施するための最良の形態】
【００１４】
本発明の照明装置１について図１，２を参照して説明する。尚、以下の説明では、説明の簡略化のため、照明装置１の一端側（図１（ａ）の上方）を上方向とし、照明装置１の他端側（図１（ａ）における下方）を下方向とする。
【００１５】
本発明の照明装置１は、図１（ａ）に示すように、略球体の箱状の装置本体２と、装置本体２の上側に設けられ受け皿６及び加熱手段７を備えた芳香剤配置部８と、装置本体２の下側に設けられた凹部４ｄと、凹部４ｄの底面部４ｃに装置本体２の下側へ向けて突設された突起部４ｆと、突起部４ｆに対応して装置本体２内に配置されて突起部４ｆに向けて指向性を有する光を出射する光源として発光ダイオードＬＥＤＲ，ＬＥＤＧ，ＬＥＤＢ（図２参照）を備えた発光手段９とを具備している。
【００１６】
装置本体２は、ともに透光性を有する材料から形成された上本体部３と下本体部４とから構成されている。上本体部３は、透光性を有する材料として例えば透光性樹脂を用いてドーム状に形成され、上壁部の中央部には上側から下側にかけて小径となる円形状の凹部３ａが設けられている。この凹部３ａにはその底部の表裏に貫通する孔部３ｂが設けられるとともに、凹部３ａの側壁部には、引掛穴３ｃが複数設けられている。また、上本体部３の内周面の下端側には、第１の凹凸部３ｄが周設してある。さらに、上本体部３には、後述する切替スイッチ１５の操作釦１５ａが挿通される操作用孔部３ｅや、後述するコンセント部１９にＡＣ／ＤＣアダプタ１８（図２参照）のプラグを挿入するためのプラグ挿入孔３ｆが設けられている。
【００１７】
下本体部４は、上方から下方にかけて小径となるように湾曲した円筒状の外壁部４ａと、外壁部４ａの下端周縁部から外壁部４ａ内に延出して上方へ向かうにつれて小径となる円筒状の内壁部４ｂと、内壁部４ｂの上端開口部を塞ぐ円形状の底面部４ｃと、内壁部４ｂ及び底面部４ｃで囲まれた凹部４ｄの底面４ｅの中央部から下方に向けて装置本体２の中心軸Ｏに沿って突出し、基部から先部にいくにしたがって小径となる円柱形状の突起部４ｆとを有して、透光性を有する材料として例えば透光性樹脂を用いて一体成形されている。さらに、外壁部４ａの外周面の上端側には、上本体部３の第１の凹凸部３ｄと凹凸係合する第２の凹凸部４ｇが周設されている。加えて、この下本体部４の表面には、全面に亘って図１（ｂ）に示すような微細な突起群２３によって凹凸形状を設けられている。
【００１８】
一方、上本体部３と下本体部４とから構成される装置本体２には、発光手段９を装置本体２内に配置するための中板５が上本体部３と下本体部４とで挟み込むようにして収納される。この中板５は、中央部から縁部へいくほど上方向に湾曲した円板状に形成され、中央部にその表裏に貫通する設置孔５ａが設けられている。この設置孔５ａは、中板５を装置本体２に収納した際に、図１（ａ）に示すように、中心軸Ｏ上且つ突起部４ｆの上方に位置するように設けてある。
【００１９】
以上により構成されている装置本体２には、受け皿６及び加熱手段７を具備した芳香剤配置部８と、発光手段９及び発光手段９の駆動回路を備えた駆動回路基板１０と、加熱手段７及び発光手段９を制御する制御回路１１ａ（図２参照）を備えた制御回路基板１１と、制御回路基板１１に動作電源を供給するための蓄電池１２を収納する電池収納部１３とが備えられている。
【００２０】
芳香剤配置部８は、例えば、ラベンダー、バラ、レモン等の液状の芳香剤（図示せず）を保持するための受け皿６と、この受け皿６に入れられた芳香剤を加熱するための加熱手段７とから構成されている。受け皿６は、例えば導電性の良いアルミ材から円形の深皿状に形成されており、外側面には上本体部３に設けた引掛穴３ｃに引掛係止するための引掛爪６ａが設けられている。この引掛爪６ａは、受け皿６を上本体部３の凹部３ａに配置した際に、受け皿６が不意に外れたりすることを防止するためのものである。加熱手段７は、例えばセラミックヒータ等が用いられ、受け皿６の底部の裏面側に配置されて、上本体部３の孔部３ｂに位置している。
【００２１】
発光手段９は、図２に示すように、赤色の発光ダイオードＬＥＤＲ、緑色の発光ダイオードＬＥＤＧ、及び青色の発光ダイオードＬＥＤＢからなる光源を備えて指向性を有する光を出射するように構成されたものであり、例えば、一面側に正方形状の発光ダイオードＬＥＤＲ，ＬＥＤＧ，ＬＥＤＢをＬ字状に配置されたもの等が用いられる。この発光手段９は、発光手段９を駆動するための駆動回路を備えた駆動回路基板１０に電気的に接続されて、中板５に次のようにして配置されている。すなわち、発光手段９は、発光ダイオードＬＥＤＲ，ＬＥＤＧ，ＬＥＤＢからなる光源の光の出射面９ａが中板５の下方向を向くようにして設置孔５ａに嵌め込まれ、駆動回路基板１０は、中板５の上面側に取付ねじ１４等により取り付けられている。
【００２２】
制御回路基板１１は、発光手段９の各発光ダイオードＬＥＤＲ，ＬＥＤＧ，ＬＥＤＢの発光量を制御する機能、及び、加熱手段７に送る電力を制御する機能を有する制御回路１１ａを備えるとともに、制御回路１１ａを操作して発光手段９の各発光ダイオードＬＥＤＲ，ＬＥＤＧ，ＬＥＤＢの発光量を切り替えるための前記切替スイッチ１５が設けられている。ここで、制御回路１１ａは、例えば各発光ダイオードＬＥＤＲ，ＬＥＤＧ，ＬＥＤＢの光出力を連続的に変化させることで、発光手段９から出射させる光の色を時間経過に伴って連続的に変化させるような制御を行うものであり、切替スイッチ１５は、例えば操作釦１５ａを備えた押釦式のスイッチであり、操作釦１５ａを押し込む毎に、発光手段９の発光量を切り替えることができるようになっている。また、この制御回路基板１１の下面側には、蓄電池１２を内部に収納可能な箱状に形成されて制御回路基板１１の制御回路１１ａに動作電源を供給するための電池収納部１３が取付ねじ１６等により取り付けられており、蓄電池１２は導線（図示せず）等によって制御回路１１ａに電気的に接続されている。加えて、この制御回路基板１１には、交流電源である外部電源１７（図２参照）から動作電源を得るために、交流を直流に変換するためのＡＣ／ＤＣアダプタ１８（図２参照）のプラグを接続可能な前記コンセント部１９を備えており、ＡＣ／ＤＣアダプタ１８を使用することでＡＣ入力による動作も可能となっている。
【００２３】
照明装置１は、上記の各部材を次のようにして配置して構成されている。すなわち、上本体部３には、その凹部３ａに受け皿６が、受け皿６の引掛爪６ａを凹部３ａの引掛穴３ｃにそれぞれ引掛保持させて載置され、受け皿６の底部の裏面側には加熱手段７が取り付けられて芳香剤配置部８が構成されている。この上本体部３には制御回路基板１１が収納されて、切替スイッチ１５の操作釦１５ａを上本体部３の操作用孔部３ｅに挿通させて外方から切替スイッチ１５を操作可能とするとともに、コンセント部１９をプラグ挿入孔３ｆに臨ませて、ＡＣ／ＤＣアダプタ１８のプラグをコンセント部１９に接続可能として、取付ねじ２０等を用いて上本体部３に取り付けられている。この制御回路基板１１の下面側には、蓄電池１２を収納された電池収納部１３が取付ねじ１６等を用いて取り付けられており、また、制御回路基板１１に備えた制御回路１１ａと加熱手段７とが導線２１によって電気的に接続されて、加熱手段７であるセラミックヒータに電力を供給可能としてある。そして、中板５に取り付けた駆動回路基板１０の駆動回路と、上本体部３に取り付けた制御回路基板１１の制御回路１１ａとを導線２２により電気的に接続して、制御回路１１ａによって発光手段９を制御可能とする。この後に、中板５を上本体部３及び下本体部４とで挟み込むようにして、上本体部３に、その下方から下本体部４を、上本体部３の第１の凹凸部３ｄに下本体部４の第２の凹凸部４ｇを凹凸係合させて取り付けることで照明装置１が完成する。
【００２４】
この照明装置１は、上述したように設置孔５ａを中心軸Ｏ上且つ突起部４ｆの上方に位置するように中板５に設けてあるから、発光手段９が突起部４ｆに対応して装置本体２内に配置されることになり、発光手段９を駆動した際には、突起部４ｆに向けて指向性を有する光を出射するようになっている。また、図１（ａ）に示すように、照明装置１の装置本体２には、上から順に、加熱手段７、電池収納部１３、発光手段９、突起部４ｆが配置されており、これにより照明装置１をコンパクトにバランス良くすることができるとともに、加熱手段７や電池収納部１３によって発光手段９から出射される光が遮られることがなくなる。
【００２５】
以上のようにして構成された照明装置１の制御回路１１ａには、図２に示すように、３色の発光ダイオードＬＥＤＲ，ＬＥＤＧ，ＬＥＤＢを備える発光手段９と、芳香剤配置部８の芳香剤を加熱するための加熱手段７と、発光手段９の発光量を切り替えるための切替スイッチ１５と、制御回路１１ａに動作電源を供給するための蓄電池１２とが接続されており、場合によっては外部電源１７がＡＣ／ＤＣアダプタ１８を用いて接続されている。
【００２６】
次に、照明装置１の動作について説明する。この照明装置１を点灯するために、制御回路１１ａに蓄電池１２や外部電源１７から動作電源を供給すると、制御回路１１ａは、導線２１を通じて加熱手段７に電力を供給して、加熱手段７を発熱させる。これにより加熱手段７から芳香剤配置部８の受け皿６に熱が伝わり、受け皿６に入れられた芳香剤（図示せず）が熱せられて、気化が促進されて香りを発散しやすくなる。
【００２７】
さらに、制御回路１１ａは、導線２２を通じて駆動回路基板１０の駆動回路に電気信号を送って、発光手段９を駆動させて出射面９ａから光を装置本体２の下方へ向けて出射させるとともに、上述したように発光手段９から出射される光の色を時間経過に伴って連続的に変化させている。そして、発光手段９から出射された光は、指向性を有しているために、装置本体２の側方へ漏れることなく、下本体部４の突起部４ｆにその基部側から入射する。この突起部４ｆは、透光性樹脂により形成されているので、発光手段９からの光が入射されることで光源としての役割を果たして、この突起部４ｆから周囲へと光を拡散して出射する。このとき、突起部４ｆの表面には、図１（ｂ）に示す微細な突起群２３によって凹凸形状が設けられているので、光が突起部４ｆを通る際の光の拡散効果が高くなっている。このようにして突起部４ｆから出射された光は、突起部４ｆを囲繞している装置本体２の周壁部である透光性樹脂製の下本体部４の内壁部４ｂ及び外壁部４ａを通って、装置本体２から外方へ出射されることになり、これにより、装置本体２全体が光ることになる。このようにして照明装置１は、装置本体２を透過する光で視覚的に演出しながら、芳香剤の香りで嗅覚的な演出を同時に行い、これにより高いリラクゼーションの効果を得ることができるのである。
【００２８】
本発明の照明装置１によれば、芳香剤配置部８が装置本体２の下方へ光を出射する発光手段９よりも装置本体２の上方に設けられているので、発光手段９から出射される光を遮って、視覚装飾性を低減させることがなくなる。加えて、発光手段９から出射した光が透光性を有する突起部４ｆに入射することで、この突起部４ｆが光源としての役割を果たし、この突起部４ｆからの光が透光性を有して突起部４ｆを囲繞している下本体部４の内壁部４ｂ及び外壁部４ａから外方へ出射されるから、装置本体２全体を光らせることができる。これにより、発光ダイオードのような光量の少ない光源を発光手段９に用いたとしても、視覚装飾性に優れた幻想的空間を演出することができる。
【００２９】
さらに、芳香剤配置部８に備えた加熱手段７により芳香剤を加熱することで十分な促進効果を得られるから、室内に芳香をすばやく充満させることができる。また、光源の役割を果たす突起部４ｆが円柱形状であるため、突起部４ｆから装置本体２へと一様に光を出射させることができる。さらに、下本体部４の表面に微細な突起群２３によって凹凸形状を形成してあるので、これら凹凸形状によって光がより拡散されることになるから、より広範囲に亘って装置本体２から光が出射されることになる。これにより、照明装置１の視覚装飾性を向上することができる。
【００３０】
尚、上述の照明装置１には、発光手段９及び突起部４ｆを１つだけ設けてあるが、本発明の照明装置は発光手段９及び突起部４ｆが１つのものに限られるものではなく、複数の発光手段９を設けるとともに、各発光手段９に対応して突起部４ｆを複数設けることとしても、本発明の主旨を逸脱することなく実施できる。
【００３１】
また尚、上述の制御回路１１ａは、各発光ダイオードＬＥＤＲ，ＬＥＤＧ，ＬＥＤＢの光出力を連続的に変化させることで、発光手段９から出射させる光の色を時間経過に伴って連続的に変化させるような制御を行うものであるが、このような制御方法に限られるものではなく、例えば、芳香剤がラベンダーの香りであれば光の色を紫色に、バラの香りであれば光の色を赤色に、レモンの香りであれば光の色を黄色等のように、芳香剤の香りとそのイメージの色に合わせて、発光手段９の光の色を変化できる切り替えスイッチを設けてもよい。また、光量を調整する切替スイッチ１５によって３色の発光ダイオードＬＥＤＲ，ＬＥＤＧ，ＬＥＤＢの光量を個別に操作可能として使用者の好みの微妙な色合いの光が得られるようにしてもよい。
【図面の簡単な説明】
【００３２】
【図１】（ａ）は、本発明の照明装置の断面図であり、（ｂ）は、突起部の要部拡大図である。
【図２】同上の照明装置のブロック図である。
【符号の説明】
【００３３】
１    照明装置
２    装置本体
３    上本体部
４    下本体部
４ａ  外壁部
４ｂ  内壁部
４ｃ  底面部
４ｄ  凹部
４ｅ  底面
４ｆ  突起部
７    加熱手段
８    芳香剤配置部
９    発光手段
【図１】
2005353552.tif 000003
【図２】
2005353552.tif 000004